(57)【特許請求の範囲】
【請求項１】
画像を表示する表示面を有した表示パネルと、
前記表示パネルに設けられ、温度を検出する第１センサと、
前記表示パネルに設けられ、温度及び前記表示面側から照射される外光の照度を検出する第２センサと、
前記第１センサによって検出される情報及び第２センサによって検出される情報の合成情報を取出し、前記合成情報に基づいて外光の照度の情報を導出し、導出された情報に応じてシステムの動作を制御する制御機構と、
前記第１センサ及び第２センサに電気的に接続され電源部と、を備え、
前記第１センサは、電圧を保持する第１保持部と、前記第１保持部に電気的に接続され、温度に応じて前記第１保持部に保持された電圧を変化させる第１検知素子と、を有し、
前記第２センサは、電圧を保持する第２保持部と、前記第２保持部に電気的に接続され、温度及び前記表示面側から照射される外光の照度に応じて前記第２保持部に保持された電圧を変化させる第２検知素子と、を有し、前記第１センサに接続され、
前記制御機構は、
書込み期間に、前記電源部から前記第１保持部及び第２保持部にそれぞれ基準電圧を印加し、保持させ、
前記書込み期間に続く保持期間に、前記第１検知素子により前記第１保持部の保持する基準電圧が降下し、前記第１保持部に第１残留電圧を保持させ、かつ、前記第２検知素子により前記第２保持部の保持する基準電圧が降下し、前記第２保持部に第２残留電圧を保持させ、
前記保持期間内の取出し期間に、前記合成情報として前記第１残留電圧及び第２残留電圧の差の情報を取出し、この情報を基に外光の照度の情報を導出し、導出された情報に応じてシステムの動作を制御する表示装置。
【請求項２】
第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陰極が前記第１ダイオードの陰極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陰極及び第２ダイオードの陰極、並びに前記第１電源端子間に接続され、
前記第２切換えスイッチは、前記第１ダイオードの陽極及び第２電源端子、並びに前記第２ダイオードの陽極間に接続され、
前記検出情報取出し線は、前記第２ダイオードの陽極に接続され、
前記制御機構は、
前記書込み期間に、前記第１切換えスイッチ及び第２切換えスイッチを導通状態にさせ、
前記保持期間に、前記第１切換えスイッチ及び第２切換えスイッチを非導通状態にさせ、
前記取出し期間に、前記第１残留電圧及び第２残留電圧の差の情報を前記検出情報取出し線から取出す請求項１に記載の表示装置。
【請求項３】
第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陽極が前記第１ダイオードの陽極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陽極及び第２ダイオードの陽極、並びに前記第２電源端子間に接続され、
前記第２切換えスイッチは、前記第１ダイオードの陰極及び第１電源端子、並びに前記第２ダイオードの陰極間に接続され、
前記検出情報取出し線は、前記第２ダイオードの陰極に接続され、
前記制御機構は、
前記書込み期間に、前記第１切換えスイッチ及び第２切換えスイッチを導通状態にさせ、
前記保持期間に、前記第１切換えスイッチ及び第２切換えスイッチを非導通状態にさせ、
前記取出し期間に、前記第１残留電圧及び第２残留電圧の差の情報を前記検出情報取出し線から取出す請求項１に記載の表示装置。
【請求項４】
前記制御機構は、前記保持期間に、前記第１切換えスイッチを非導通状態にさせた後、前記第２切換えスイッチを非導通状態にさせる請求項２又は３に記載の表示装置。
【請求項５】
前記制御機構は、前記第２センサで検出される温度及び照度の情報である単独情報を基に、前記第２センサによって検出される単独情報を取出すか、前記第１センサ及び第２センサによって検出される合成情報を取出すか、判断し、
前記単独情報を取出す場合、前記単独情報を基に外光の照度の情報を導出し、導出された情報に応じてシステムの動作を制御する請求項１に記載の表示装置。
【請求項６】
前記制御機構は、前記第２センサによって検出される温度及び照度の情報である単独情報を取出すとともに前記第１センサ及び第２センサによって検出される合成情報を取出し、前記単独情報及び合成情報を基に何れの情報を選択するか判断し、
前記単独情報を選択する場合、前記単独情報を基に外光の照度の情報を導出し、導出された情報に応じてシステムの動作を制御する請求項１に記載の表示装置。
【請求項７】
前記制御機構は、前記第２センサで検出される温度及び照度の情報である単独情報を取出し、前記単独情報を基に外光の照度の情報を導出するかどうか判断し、
前記単独情報を基に外光の照度の情報を導出する場合、前記単独情報を基に導出された外光の照度の情報に応じてシステムの動作を制御し、
前記単独情報を基に外光の照度の情報を導出しない場合、前記第１センサ及び第２センサによって検出される合成情報を取出し、前記合成情報を基に外光の照度の情報を導出し、導出された情報に応じてシステムの動作を制御する請求項１に記載の表示装置。
【請求項８】
温度又は外光の照度の情報を検出する第３センサをさらに備え、
前記制御機構は、前記第３センサで検出される情報を基に、前記第２センサによって検出される単独情報を取出すか、前記第１センサ及び第２センサによって検出される合成情報を取出すか、判断し、
前記単独情報を取出す場合、前記単独情報を基に外光の照度の情報を導出し、導出された情報に応じてシステムの動作を制御する請求項１に記載の表示装置。
【請求項９】
前記第１センサ及び第２センサに電気的に接続され電源部をさらに備え、
前記第１センサは、電圧を保持する第１保持部と、前記第１保持部に電気的に接続され、温度に応じて前記第１保持部に保持された電圧を変化させる第１検知素子と、を有し、
前記第２センサは、電圧を保持する第２保持部と、前記第２保持部に電気的に接続され、温度及び前記表示面側から照射される外光の照度に応じて前記第２保持部に保持された電圧を変化させる第２検知素子と、を有し、前記第１センサに接続され、
前記制御機構は、前記単独情報を取出す場合、
書込み期間に、前記電源部から前記第１保持部及び第２保持部にそれぞれ基準電圧を印加し、保持させ、
前記書込み期間に続く保持期間に、前記第２検知素子により前記第２保持部の保持する基準電圧が降下し、前記第２保持部に残留電圧を保持させ、
前記保持期間内の取出し期間に、前記単独情報として前記残留電圧の情報を取出し、この情報を基に外光の照度の情報を導出し、導出された情報に応じてシステムの動作を制御する請求項５乃至８の何れか１項に記載の表示装置。
【請求項１０】
第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陰極が前記第１ダイオードの陰極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陰極及び第２ダイオードの陰極、並びに前記第１電源端子間に接続され、
前記第２切換えスイッチは、前記第１ダイオードの陽極及び第２電源端子、並びに前記第２ダイオードの陽極間に接続され、
前記検出情報取出し線は、前記第２ダイオードの陽極に接続され、
前記制御機構は、前記単独情報を取出す場合、
前記書込み期間に、前記第１切換えスイッチ及び第２切換えスイッチを導通状態にさせ、
前記保持期間に、前記第２切換えスイッチを非導通状態にさせ、
前記取出し期間に、前記残留電圧の情報を前記検出情報取出し線から取出す請求項９に記載の表示装置。
【請求項１１】
第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陽極が前記第１ダイオードの陽極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陽極及び第２ダイオードの陽極、並びに前記第２電源端子間に接続され、
前記第２切換えスイッチは、前記第１ダイオードの陰極及び第１電源端子、並びに前記第２ダイオードの陰極間に接続され、
前記検出情報取出し線は、前記第２ダイオードの陰極に接続され、
前記制御機構は、前記単独情報を取出す場合、
前記書込み期間に、前記第１切換えスイッチ及び第２切換えスイッチを導通状態にさせ、
前記保持期間に、前記第２切換えスイッチを非導通状態にさせ、
前記取出し期間に、前記残留電圧の情報を前記検出情報取出し線から取出す請求項９に記載の表示装置。
【請求項１２】
前記表示パネルに設けられ、前記第２センサと同一に形成され、温度及び前記表示面側から照射される外光の照度を検出する第３センサをさらに備え、
前記制御機構は、前記第３センサで検出される温度及び照度の情報である単独情報を基に、前記第２センサによって検出される単独情報を取出すか、前記第１センサ及び第２センサによって検出される合成情報を取出すか、判断し、
前記第２センサによって検出される単独情報を取出す場合、前記第２センサによって検出される単独情報を基に外光の照度の情報を導出し、導出された情報に応じてシステムの動作を制御する請求項１に記載の表示装置。
【請求項１３】
前記表示パネルに設けられ、前記第２センサと同一に形成され、温度及び前記表示面側から照射される外光の照度を検出する第３センサをさらに備え、
前記制御機構は、前記第３センサによって検出される温度及び照度の情報である単独情報を取出すとともに前記第１センサ及び第２センサによって検出される合成情報を取出し、前記単独情報及び合成情報を基に何れの情報を選択するか判断し、
前記単独情報を選択する場合、前記単独情報を基に外光の照度の情報を導出し、導出された情報に応じてシステムの動作を制御する請求項１に記載の表示装置。
【請求項１４】
前記表示パネルに設けられ、前記第２センサと同一に形成され、温度及び前記表示面側から照射される外光の照度を検出する第３センサをさらに備え、
前記制御機構は、前記第３センサで検出される温度及び照度の情報である単独情報を取出し、前記単独情報を基に外光の照度の情報を導出するかどうか判断し、
前記単独情報を基に外光の照度の情報を導出する場合、前記単独情報を基に導出された外光の照度の情報に応じてシステムの動作を制御し、
前記単独情報を基に外光の照度の情報を導出しない場合、前記第１センサ及び第２センサによって検出される合成情報を取出し、前記合成情報を基に外光の照度の情報を導出し、導出された情報に応じてシステムの動作を制御する請求項１に記載の表示装置。
【請求項１５】
前記第３センサに電気的に接続され電源部をさらに備え、
前記第３センサは、電圧を保持する保持部と、前記保持部に電気的に接続され、温度に応じて前記保持部に保持された電圧を変化させる検知素子と、を有し、
前記制御機構は、前記単独情報を取出す場合、
書込み期間に、前記電源部から前記保持部に基準電圧を印加し、保持させ、
前記書込み期間に続く保持期間に、前記検知素子により前記保持部の保持する基準電圧が降下し、前記保持部に残留電圧を保持させ、
前記保持期間内の取出し期間に、前記単独情報として前記残留電圧の情報を取出し、この情報を基に外光の照度の情報を導出し、導出された情報に応じてシステムの動作を制御する請求項１２乃至１４の何れか１項に記載の表示装置。
【請求項１６】
切換えスイッチと、
検出情報取出し線と、をさらに備え、
前記電源部は、相対的に高い電位に設定された第１電源端子と、相対的に低い電位に設定された第２電源端子と、を有し、
前記検知素子は、陰極が前記第１電源端子に接続され、前記表示面側を除いて遮光されたダイオードであり、
前記保持部は、前記ダイオードの陽極及び陰極に接続されたコンデンサであり、
前記切換えスイッチは、前記ダイオードの陽極及び前記第２電源端子間に接続され、
前記検出情報取出し線は、前記ダイオードの陽極に接続され、
前記制御機構は、前記単独情報を取出す場合、
前記書込み期間に、前記切換えスイッチを導通状態にさせ、
前記保持期間に、前記切換えスイッチを非導通状態にさせ、
前記取出し期間に、前記残留電圧の情報を前記検出情報取出し線から取出す請求項１５に記載の表示装置。
【請求項１７】
切換えスイッチと、
検出情報取出し線と、をさらに備え、
前記電源部は、相対的に高い電位に設定された第１電源端子と、相対的に低い電位に設定された第２電源端子と、を有し、
前記検知素子は、陽極が前記第２電源端子に接続され、前記表示面側を除いて遮光されたダイオードであり、
前記保持部は、前記ダイオードの陽極及び陰極に接続されたコンデンサであり、
前記切換えスイッチは、前記ダイオードの陰極及び前記第１電源端子間に接続され、
前記検出情報取出し線は、前記ダイオードの陰極に接続され、
前記制御機構は、前記単独情報を取出す場合、
前記書込み期間に、前記切換えスイッチを導通状態にさせ、
前記保持期間に、前記切換えスイッチを非導通状態にさせ、
前記取出し期間に、前記残留電圧の情報を前記検出情報取出し線から取出す請求項１５に記載の表示装置。
【請求項１８】
前記第１検知素子及び第２検知素子は、薄膜ダイオードである請求項１又は９に記載の表示装置。
【請求項１９】
前記制御機構は、前記合成情報が第１規定値に達した時点と、第２規定値に達した時点との間の時間の情報を取出し、前記取出した情報に基づいて外光の照度の情報を導出し、導出された前記情報に応じてシステムの動作を制御する請求項１に記載の表示装置。
【発明の詳細な説明】
【技術分野】
【０００１】
この発明は、表示装置及び表示装置の制御方法に関する。
【背景技術】
【０００２】
近年、パーソナルコンピュータやワードプロセッサ等の情報機器の表示装置、テレビ、ビデオムービー、カーナビゲーションシステム等の映像機器の表示装置として、軽量、薄型、低消費電力という特長を持つ液晶表示装置が多用されている。このような液晶表示装置においては、明るい表示画面を実現するために、表示素子の背後から照明光を照射するバックライトを内蔵した構成をとるものが多い。
【０００３】
ところで、液晶表示装置の長所の一つは、その低消費電力性にあるが、一般に液晶パネルよりもバックライトの消費電力の方が大きい。一方、通常、液晶表示装置において、十分な視認性を得るためには、表示輝度をできるだけ高くする必要があり、これに対応してバックライトを明るく設定すると、前記低消費電力性を損なう要因となる。
【０００４】
そこで、環境照度（外光照度）に応じてバックライトの明るさを調節し、消費電力をできる限り抑えることが検討されている。例えば、夜間のように環境照度が低い場合と、晴天時の日中の屋外のように環境照度が高い場合とでは、十分な視認性を得るのに必要な輝度が異なり、これに応じて必要最小限にバックライトの照度を調節することにより、消費電力を抑えることができるものと考えられる。
【０００５】
これを実現するために、薄膜トランジスタを用いた液晶表示装置において、光センサ（フォトセンサ）を基板の表示領域外に設置し、その出力を利用してバックライトの明るさを調光する提案がなされている（例えば、特許文献１及び特許文献２参照）。
【０００６】
しかしながら、特許文献１及び特許文献２では、液晶表示パネルとは別個の調光センサを設置するという構成が採られており、液晶表示装置の小型化や薄型の妨げになっている。このため、小型化や薄型化に対する要求が厳しく、小型化や薄型化の妨げは大きな問題となっている。
【０００７】
そこで、小型化や薄型化への対応を可能とする技術が開示されている（例えば、特許文献３参照）。正確な照度計算が可能であり、輝度レベルを適正に制御することが可能である。
【特許文献１】特開平４−１７４８１９号公報
【特許文献２】特開平９−１４６０７３号公報
【特許文献３】特開２００７−１１４３１５号公報
【発明の開示】
【発明が解決しようとする課題】
【０００８】
ところで、液晶表示パネルの一方の基板（例えば、アレイ基板）上に形成された光センサは、熱電流及び低照度での温度特性による特性のばらつきの影響により、正確な照度検出が困難である。  
この発明は以上の点に鑑みなされたもので、その目的は、外光の照度を正確に検出でき、表示画像の輝度レベルを制御できる表示装置及び表示装置の制御方法を提供することにある。
【課題を解決するための手段】
【０００９】
上記課題を解決するため、本発明の態様に係る表示装置は、
画像を表示する表示面を有した表示パネルと、
前記表示パネルに設けられ、温度を検出する第１センサと、
前記表示パネルに設けられ、温度及び前記表示面側から照射される外光の照度を検出する第２センサと、
前記第１センサによって検出される情報及び第２センサによって検出される情報の合成情報を取出し、前記合成情報に基づいて外光の照度の情報を導出し、導出された情報に応じてシステムの動作を制御する制御機構と、
前記第１センサ及び第２センサに電気的に接続され電源部と、を備え、
前記第１センサは、電圧を保持する第１保持部と、前記第１保持部に電気的に接続され、温度に応じて前記第１保持部に保持された電圧を変化させる第１検知素子と、を有し、
前記第２センサは、電圧を保持する第２保持部と、前記第２保持部に電気的に接続され、温度及び前記表示面側から照射される外光の照度に応じて前記第２保持部に保持された電圧を変化させる第２検知素子と、を有し、前記第１センサに接続され、
前記制御機構は、
書込み期間に、前記電源部から前記第１保持部及び第２保持部にそれぞれ基準電圧を印加し、保持させ、
前記書込み期間に続く保持期間に、前記第１検知素子により前記第１保持部の保持する基準電圧が降下し、前記第１保持部に第１残留電圧を保持させ、かつ、前記第２検知素子により前記第２保持部の保持する基準電圧が降下し、前記第２保持部に第２残留電圧を保持させ、
前記保持期間内の取出し期間に、前記合成情報として前記第１残留電圧及び第２残留電圧の差の情報を取出し、この情報を基に外光の照度の情報を導出し、導出された情報に応じてシステムの動作を制御する。
【発明の効果】
【００１１】
この発明によれば、外光の照度を正確に検出でき、表示画像の輝度レベルを制御できる表示装置及び表示装置の制御方法を提供することができる。
【発明を実施するための最良の形態】
【００１２】
以下、図面を参照しながらこの発明の表示装置及び表示装置の制御方法を液晶表示装置及び液晶表示装置の制御方法に適用した実施の形態について詳細に説明する。  
図１、図２、図３、図４、図５、図７及び図８に示すように、液晶表示装置は、表示パネルとしての液晶表示パネル１、センサユニット２、駆動回路（ＬＳＩ）３、バックライトユニット４、基板５、記憶部６及び処理部７を備えている。駆動回路３、記憶部６及び処理部７は、制御機構８を形成している。
【００１３】
液晶表示パネル１は、アレイ基板１０と、対向基板４０と、液晶層５０と、カラーフィルタ６０と、光学部としての第１偏光板７０及び第２偏光板８０とを備えている。第２偏光板８０は、表示面Ｓを有している。アレイ基板１０及び対向基板４０は、それぞれ矩形状に形成されている。アレイ基板１０は、対向基板４０よりも大きな寸法に形成されている。
【００１４】
アレイ基板１０及び対向基板４０は、各々の３辺がほぼ重なるように配置されている。アレイ基板１０の残る一辺において、アレイ基板１０は、対向基板４０よりも外側へ延出している。より詳しくは、第１方向ｄ１において、アレイ基板１０及び対向基板４０はほぼ重なるように配置されている。第１方向ｄ１と直交した第２方向ｄ２において、アレイ基板１０は、対向基板４０よりも外側へ延出している。液晶表示パネル１は、アレイ基板１０及び対向基板４０に重なった矩形状の表示領域Ｒ１を有している。
【００１５】
アレイ基板１０は、透明な絶縁基板として、矩形状のガラス基板１０ｓを有している。ガラス基板１０ｓは、対向基板４０から外れた延出部１０ｓａを有している。表示領域Ｒ１において、ガラス基板１０ｓ上に、複数の表示画素ＰＸが配置されている。表示画素ＰＸは、表示面Ｓに沿った第１方向ｄ１及び第２方向ｄ２に沿ってマトリクス状に設けられている。なお、表示面Ｓは表示領域Ｒ１に重なっている。
【００１６】
ガラス基板１０ｓ上には、アンダーコート絶縁膜１１が成膜されている。アンダーコート絶縁膜１１は、第１アンダーコート絶縁膜１２及び第２アンダーコート絶縁膜１３が積層して形成されている。第１アンダーコート絶縁膜１２及び第２アンダーコート絶縁膜１３はガラス基板１０ｓ上に順に成膜されている。この実施の形態において、第１アンダーコート絶縁膜１２はＳｉＮＸの材料で成膜され、第２アンダーコート絶縁膜１３はＳｉＯＸの材料で成膜されている。
【００１７】
アンダーコート絶縁膜１１上に、複数のストライプ状の信号線２２及び複数のストライプ状の走査線２３が互いに交差して格子状に形成されている。また、アンダーコート絶縁膜１１上には、複数のストライプ状の補助容量線２４が形成され、走査線２３と平行に延びている。補助容量線２４はそれぞれ補助容量素子３０を形成している。隣合う２本の信号線２２及び隣合う２本の補助容量線２４で囲まれた領域にそれぞれ表示画素ＰＸが形成されている。
【００１８】
信号線２２及び走査線２３の各交差部近傍には、スイッチング素子としてのＴＦＴ（薄膜トランジスタ）１４が設けられている。ＴＦＴ１４は、チャネル層として、例えば、アモルファスシリコン（ａ−Ｓｉ）あるいはポリシリコン（ｐ−Ｓｉ）からなるチャネル層１５、ゲート絶縁膜１７及び走査線２３の一部を延出してなるゲート電極１８を有している。この実施の形態において、ゲート絶縁膜１７はＴＥＯＳ（テトラエチルオルソシリケイト  Si(OC2H5)4）の材料で成膜されている。また、ゲート電極１８及び走査線２３は、例えば、ＭｏＷの材料で形成されている。
【００１９】
ここで、チャネル層１５はｐ−Ｓｉの材料で形成されている。より詳しくは、チャネル層１５のソース領域ＲＳは、ｎ＋ｐ−Ｓｉに形成されたＮ型領域である。チャネル層１５のドレイン領域ＲＤは、ｎ＋ｐ−Ｓｉに形成されたＮ型領域である。チャネル層１５のソース領域ＲＳ及びドレイン領域ＲＤ間の領域は、ｐ−ｐ−Ｓｉに形成され、固有抵抗が非常に高いＰ型領域である。
【００２０】
詳細に述べると、アンダーコート絶縁膜１１上には、チャネル層１５及び補助容量電極１６が形成され、これらチャネル層及び補助容量電極を含むアンダーコート絶縁膜上にはゲート絶縁膜１７が成膜されている。ゲート絶縁膜１７上に、走査線２３、ゲート電極１８及び補助容量線２４が配設されている。補助容量電極１６及び補助容量線２４は、ゲート絶縁膜１７を介して対向配置されている。走査線２３、ゲート電極１８及び補助容量線２４を含むゲート絶縁膜１７上には層間絶縁膜１９が成膜されている。
【００２１】
層間絶縁膜１９は、パシベーション膜の機能を有する第１層間絶縁膜２０及び第２層間絶縁膜２１が積層して成膜されている。第１層間絶縁膜２０及び第２層間絶縁膜２１はゲート絶縁膜１７上に順に成膜されている。この実施の形態において、第１層間絶縁膜２０はＳｉＮＸの材料で成膜され、第２層間絶縁膜２１はＳｉＯＸの材料で成膜されている。
【００２２】
層間絶縁膜１９上には、ＭＡＭ等の導電材料により信号線２２及びコンタクト配線２５が形成されている。ここで、ＭＡＭは、Ｍｏ（モリブデン）／Ａｌ・Ｎｄ（アルミニウム−ネオジウム系合金）／Ｍｏ（モリブデン）の略称で３層構造の金属膜である。信号線２２は、ゲート絶縁膜１７及び層間絶縁膜１９に形成されたコンタクトホールを介してチャネル層１５のソース領域ＲＳに接続されている。コンタクト配線２５は、ゲート絶縁膜１７及び層間絶縁膜１９に形成されたコンタクトホールを介してチャネル層１５のドレイン領域ＲＤに接続されている。また、コンタクト配線２５は、ゲート絶縁膜１７及び層間絶縁膜１９に形成された他のコンタクトホールを介して補助容量電極１６に接続されている。ここで、補助容量線２４は、補助容量電極１６とコンタクト配線２５との接続部を除いて形成されている。
【００２３】
ＴＦＴ１４、信号線２２、コンタクト配線２５及び層間絶縁膜１９上には、絶縁性の平坦化膜２６が成膜されている。平坦化膜２６上には、ＩＴＯ（インジウム・ティン・オキサイド）等の透明な導電材料により複数の画素電極２７がマトリクス状に設けられている。ここで、表示画素ＰＸは、ＴＦＴ１４、補助容量素子３０、画素電極２７等で形成されている。
【００２４】
画素電極２７は、平坦化膜２６に形成されたコンタクトホールを介してコンタクト配線２５に接続されている。画素電極２７の周縁部は、信号線２２及び補助容量線２４に重なっている。
【００２５】
画素電極２７上には複数本の柱状スペーサ２８が形成されている。なお、柱状スペーサ２８はアレイ基板１０に限らず、対向基板４０に形成されても良い。平坦化膜２６及び画素電極２７上には、配向膜２９が成膜されている。  
上記したように、ガラス基板１０ｓ上にアレイパターン１０ｐが形成され、アレイ基板１０を形成している。
【００２６】
対向基板４０は、透明な絶縁基板としてガラス基板４０ｓを備えている。表示領域Ｒ１において、ガラス基板４０ｓ上には、走査線２３及び信号線２２に重なった遮光層６１が形成されている。遮光層６１はマトリクス状の複数の開口部を形成している。
【００２７】
表示領域Ｒ１の外側において、ガラス基板４０ｓ上には、遮光層として矩形枠状の周辺遮光層６２が形成されている。この周辺遮光層６２は、表示領域Ｒ１の外縁の全周に亘って形成され、表示領域Ｒ１の外側と、図示しないベゼルの内側との間から漏れる光の遮光に寄与している。
【００２８】
ガラス基板４０ｓ、遮光層６１及び周辺遮光層６２上には、複数の赤色の着色層６０Ｒ、複数の緑色の着色層６０Ｇ及び複数の青色の着色層６０Ｂが配設されている。これらの着色層６０Ｒ、６０Ｇ、６０Ｂは互いに隣接し、交互に並んで配設されている。着色層６０Ｒ、６０Ｇ、６０Ｂの周縁部は遮光層６１に重なっている。遮光層６１、周辺遮光層６２及び着色層６０Ｒ、６０Ｇ、６０Ｂは、カラーフィルタ６０を形成している。
【００２９】
カラーフィルタ６０上に、ＩＴＯ等の透明な導電材料により共通電極４１が形成されている。共通電極４１上には配向膜４２が成膜されている。  
上記したように、ガラス基板４０ｓ上に対向パターン４０ｐが形成され、対向基板４０を形成している。
【００３０】
アレイ基板１０及び対向基板４０は、複数本の柱状スペーサ２８により所定の隙間を保持して対向配置されている。アレイ基板１０及び対向基板４０は、表示領域Ｒ１の周縁部である両基板の周縁部に配置された矩形枠状のシール材５１により互いに接合されている。
【００３１】
液晶層５０は、アレイ基板１０及び対向基板４０間に挟持され、シール材５１で囲まれている。シール材５１の一部に形成された液晶注入口５２は、封止材５３により封止されている。
【００３２】
第１偏光板７０は、アレイ基板１０の外面に配置されている。第２偏光板８０は、対向基板４０の外面に配置されている。  
上記したように、液晶表示パネル１が形成されている。
【００３３】
駆動回路３は、延出部１０ｓａ上に実装されている。ここで、延出部１０ｓａ上に、複数の走査線２３、複数の補助容量線２４及び複数の信号線２２のそれぞれの一端部が設けられている。すなわち、複数の走査線２３、複数の補助容量線２４及び複数の信号線２２のそれぞれの一端部は、シール材５１を越え、シール材５１の外側の延出部１０ｓａ上に位置している。駆動回路３は、複数の走査線２３、複数の補助容量線２４及び複数の信号線２２に電気的に接続されている。
【００３４】
バックライトユニット４は、アレイ基板１０の外面側に配置されている。バックライトユニット４は、第１偏光板７０に対向配置された導光体４ａと、この導光体の一側縁に対向配置された光源４ｂ及び反射板４ｃとを有している。
【００３５】
（実施例１）
まず、実施例１のセンサユニット２について説明する。  
図１、図３、図６、図７及び図８に示すように、センサユニット２は、液晶表示パネル１に設けられ、より詳しくは表示領域Ｒ１（シール材５１で囲まれた領域）から外れたガラス基板１０ｓ上に形成されている。センサユニット２は、第１センサＳ１と、第２センサＳ２と、第１切換えスイッチＳＷ１と、第２切換えスイッチＳＷ２と、検出情報取出し線Ｗとを有している。
【００３６】
第１センサＳ１は、電圧を保持する第１保持部としての第１コンデンサＣ１と、第１コンデンサＣ１に電気的に接続された第１検知素子としての第１ダイオードＤ１とを有している。
【００３７】
第１ダイオードＤ１は、ＰＩＮダイオードである。第１ダイオードＤ１は、チャネル層１５と同一材料で同時に形成されている。より詳しくは、第１ダイオードＤ１の陽極Ｄ１ａは、ｐ＋ｐ−Ｓｉに形成されたＰ型領域である。第１ダイオードＤ１の陰極Ｄ１ｃは、ｎ＋ｐ−Ｓｉに形成されたＮ型領域である。第１ダイオードＤ１の陽極Ｄ１ａ及び陰極Ｄ１ｃ間の領域Ｄ１ｂは、ｐ−ｐ−Ｓｉに形成され、固有抵抗が非常に高いＰ型領域である。
【００３８】
第１ダイオードＤ１の陽極Ｄ１ａに、電極Ｅ１ａが電気的に接続されている。第１ダイオードＤ１の陰極Ｄ１ｃに、電極Ｅ１ｃが電気的に接続されている。電極Ｅ１ａ、Ｅ１ｃは、信号線２２及びコンタクト配線２５と同一材料で同時に形成されている。  
第１コンデンサＣ１は、第１ダイオードＤ１の陽極Ｄ１ａ及び陰極Ｄ１ｃに接続されている。
【００３９】
第１ダイオードＤ１は、遮光されている。より詳しくは、第１ダイオードＤ１に重ねて第１偏光板７０の外面に遮光テープ９０が配置されている。周辺遮光層６２は、第１ダイオードＤ１に重なっている。このため、第１ダイオードＤ１に照射される光のうち、バックライト光は遮光テープ９０により遮光され、表示面Ｓに照射される外光Ｌは周辺遮光層６２により遮光される。
【００４０】
第１ダイオードＤ１は、この第１ダイオードＤ１付近の温度に応じて陽極Ｄ１ａ及び陰極Ｄ１ｃ間の導電性を変化させるものである。すなわち、第１ダイオードＤ１は、温度に応じてリーク電流が変化し、これによって第１コンデンサＣ１に保持された電圧は変化
する。このため、第１センサＳ１は、この第１コンデンサＣ１の電圧変化量によって、このセンサ付近の温度を検出することができる。
【００４１】
第２センサＳ２は、電圧を保持する第２保持部としての第２コンデンサＣ２と、第２コンデンサＣ２に電気的に接続された第２検知素子としての第２ダイオードＤ２とを有している。
【００４２】
第２ダイオードＤ２は、ＰＩＮダイオードである。第２ダイオードＤ２は、チャネル層１５と同一材料で同時に形成されている。より詳しくは、第２ダイオードＤ２の陽極Ｄ２ａは、ｐ＋ｐ−Ｓｉに形成されたＰ型領域である。第２ダイオードＤ２の陰極Ｄ２ｃは、ｎ＋ｐ−Ｓｉに形成されたＮ型領域である。第２ダイオードＤ２の陽極Ｄ２ａ及び陰極Ｄ２ｃ間の領域Ｄ２ｂは、ｐ−ｐ−Ｓｉに形成され、固有抵抗が非常に高いＰ型領域である。第２ダイオードＤ２の陰極Ｄ２ｃは、第１ダイオードＤ１の陰極Ｄ１ｃに接続されている。
【００４３】
第２ダイオードＤ２の陽極Ｄ２ａに、電極Ｅ２ａが電気的に接続されている。第２ダイオードＤ２の陰極Ｄ２ｃに、電極Ｅ２ｃが電気的に接続されている。電極Ｅ２ａ、Ｅ２ｃは、信号線２２及びコンタクト配線２５と同一材料で同時に形成されている。  
第２コンデンサＣ２は、第２ダイオードＤ２の陽極Ｄ２ａ及び陰極Ｄ２ｃに接続されている。
【００４４】
第２ダイオードＤ２は、表示面Ｓ側を除いて遮光されている。より詳しくは、第２ダイオードＤ２に重ねて第１偏光板７０の外面に遮光テープ９０が配置されている。周辺遮光層６２は、第２ダイオードＤ２に重なった開口部６２ａを有している。このため、第２ダイオードＤ２に照射される光のうち、バックライト光は遮光テープ９０により遮光される。表示面Ｓ側に照射される外光Ｌは第２ダイオードＤ２に照射される。
【００４５】
第２ダイオードＤ２は、この第２ダイオードＤ２付近の温度及び表示面Ｓ側から照射される外光Ｌの照度に応じて陽極Ｄ２ａ及び陰極Ｄ２ｃ間の導電性を変化させるものである。すなわち、第２ダイオードＤ２は、温度及び表示面Ｓ側から照射される外光Ｌの照度に応じてリーク電流が生じ、これによって第２コンデンサＣ２に保持された電圧は変化する。このため、第２センサＳ２は、この第２コンデンサＣ２の電圧変化量によって、このセンサ付近の温度及び表示面Ｓ側から照射される外光Ｌの照度を検出することができる。  
なお、第１コンデンサＣ１及び第２コンデンサＣ２を補助容量素子３０と同時に形成することができる。
【００４６】
液晶表示装置は、第１センサＳ１及び第２センサＳ２に電気的に接続された電源部を備えている。電源部は、相対的に高い電位に設定された第１電源端子Ｔ１と、相対的に低い電位に設定された第２電源端子Ｔ２とを有している。この実施の形態において、第１電源端子Ｔ１は基準電圧ＶＤＤに設定され、第２電源端子Ｔ２はＶＳＳに設定されている。ここでは、第２電源端子Ｔ２は接地されている。
【００４７】
第１切換えスイッチＳＷ１は、第１ダイオードＤ１の陰極Ｄ１ｃ及び第２ダイオードＤ２の陰極Ｄ２ｃ、並びに第１電源端子Ｔ１間に接続されている。第２切換えスイッチＳＷ２は、第１ダイオードＤ１の陽極Ｄ１ａ及び第２電源端子Ｔ２、並びに第２ダイオードＤ２の陽極Ｄ２ａ間に接続されている。
【００４８】
第１切換えスイッチＳＷ１及び第２切換えスイッチＳＷ２は、処理部７からの制御信号に応答してオン（導通状態）、オフ（非導通状態）される。第１切換えスイッチＳＷ１及び第２切換えスイッチＳＷ２は、ＴＦＴ１４と同様、トランジスタで形成されていても良い。この場合、第１切換えスイッチＳＷ１及び第２切換えスイッチＳＷ２をＴＦＴ１４と同時に形成することができる。  
検出情報取出し線Ｗは、第２ダイオードＤ２の陽極Ｄ２ａ及びセンサユニット２の出力端子Ｔｏｕｔに接続されている。
【００４９】
記憶部６及び処理部７は、基板５上に実装されている。記憶部６には、センサユニット２から出力される情報（電圧の値）に対応した外光Ｌの照度の情報が予め格納されている。
【００５０】
処理部７は、図示しないＡ／Ｄ変換回路、演算回路及び制御信号変換回路等を有している。処理部７は、所定のタイミングでセンサユニット２から出力される情報（電圧）を検出した後、Ａ／Ｄ変換回路でＡ／Ｄ変換し、演算回路で記憶部６の情報と照し合せる。これにより、処理部７は、外光Ｌの照度の情報を検出することができる。処理部７の制御信号変換回路は、検出された外光Ｌの照度の情報に応じて画像の輝度レベルを制御する。画像の輝度レベルの制御は、例えば、バックライトユニット４からの光放出量を制御することにより行われる。
【００５１】
処理部７は、タイミングコントローラ７ａを有している。このため、処理部７は、タイミングコントローラ７ａの指示に基づき、センサユニット２に連続的又は断続的に光感知を行わせることができる。すなわち、処理部７は、外光Ｌの情報を連続的又は断続的に検出することができる。
【００５２】
基板５及び液晶表示パネル１はフレキシブルケーブル９１で接続されている。フレキシブルケーブル９１は、駆動回路３及び処理部７と電気的に接続されている。このため、センサユニット２から出力される信号（電圧）等はフレキシブルケーブル９１を介して処理部７に伝送される。
【００５３】
その他、基板５上には、電源回路９２が実装されている。基板５及びバックライトユニット４は、ケーブル９３で接続されている。ケーブル９３は、電源回路９２及びバックライトユニット４と電気的に接続されている。このため、処理部７の制御の基、電源回路９２から直流の電流は、ケーブル９３を介してバックライトユニット４に与えられる。
【００５４】
次に、液晶表示装置の制御方法について説明する。特に、外光Ｌの照度を検出するための液晶表示装置の制御方法について説明する。図９乃至図１２に示すように、外光Ｌの照度を検出するための動作は、書込み期間ｔ１に行われる書込み動作と、保持期間ｔ２に行われる保持動作と、取出し期間ｔ３に行われる取出し動作とに分けられる。  
この実施例１において、液晶表示パネル１が画像を表示している間、書込み動作と、保持動作と、取出し動作とが交互に連続的に行われる。言い換えると、処理部７は、センサユニット２から出力される情報を連続的に検出する。ここでは、処理部７は、センサユニット２から出力される情報を１フレーム（１Ｆ）毎に連続的に検出する。
【００５５】
まず、書込み動作について説明する。  
図９及び図１、６、７、８、１２に示すように、書込み期間ｔ１において、制御機構８から、第１切換えスイッチＳＷ１及び第２切換えスイッチＳＷ２を導通状態（オン状態）とする制御信号が与えられる。
【００５６】
これにより、第１電源端子Ｔ１から第１コンデンサＣ１及び第２コンデンサＣ２にそれぞれ基準電圧ＶＤＤを印加し、センサユニット２の電圧をリセットさせる。同時に、第１コンデンサＣ１及び第２コンデンサＣ２に基準電圧ＶＤＤを保持（記憶）させる。  
以上で、書込み動作が終了する。
【００５７】
次に、保持動作について説明する。  
図１０及び図１、６、７、８、１２に示すように、書込み期間ｔ１に続く保持期間ｔ２において、まず、第２切換えスイッチＳＷ２をオン状態に維持したまま、第１切換えスイッチＳＷ１を非導通状態（オフ状態）に切換える。すなわち、制御機構８から、第１切換えスイッチＳＷ１をオフ状態とする制御信号を与える。これにより、第１電源端子Ｔ１から第２電源端子Ｔ２に流れる恐れのある突き抜け電流の発生を防止することができ、外光Ｌの照度を高い検出精度で安定して得ることができる。
【００５８】
図１１及び図１、６、７、８、１２に示すように、その後、第１切換えスイッチＳＷ１をオフ状態に維持したまま、第２切換えスイッチＳＷ２をオフ状態に切換える。すなわち、制御機構８から、第２切換えスイッチＳＷ２をオフ状態とする制御信号を与える。
【００５９】
そして、保持期間ｔ２に、第１ダイオードＤ１により第１コンデンサＣ１の保持する基準電圧ＶＤＤが降下し、第１コンデンサＣ１に第１残留電圧を保持させ、かつ、第２ダイオードＤ２により第２コンデンサＣ２の保持する基準電圧ＶＤＤが降下し、第２コンデンサＣ２に第２残留電圧を保持させる。
【００６０】
より詳しくは、第１コンデンサＣ１の第１残留電圧は、ＶＤＤ−ＶＴである。すなわち、第１コンデンサＣ１の保持電圧は、第１ダイオードＤ１の陽極Ｄ１ａ及び陰極Ｄ１ｃ間に流れるリーク電流（暗電流）に応じた電圧ＶＴの分、降下することが分かる。なお、上記電圧ＶＴが第１ダイオードＤ１付近の温度に応じて変化することは言うまでもない。
【００６１】
第２コンデンサＣ２の第２残留電圧は、ＶＤＤ−ＶＴ−ＶＬである。すなわち、第２コンデンサＣ２の保持電圧は、第２ダイオードＤ２の陽極Ｄ２ａ及び陰極Ｄ２ｃ間に流れるリーク電流（暗電流）に応じた電圧ＶＴ＋ＶＬの分、降下することが分かる。なお、上記電圧ＶＴが第２ダイオードＤ２付近の温度に応じて変化することは言うまでもない。上記電圧ＶＬが表示面Ｓ側から照射される外光Ｌの照度に応じて変化することは言うまでもない。
【００６２】
以上で、保持動作が終了する。
【００６３】
次に、取出し動作について説明する。  
図１１及び図１、６、７、８、１２に示すように、保持期間ｔ２内の取出し期間ｔ３に、制御機構８は、第１センサＳ１によって検出される情報及び第２センサＳ２によって検出される情報の合成情報を取出し、合成情報に基づいて外光Ｌの照度の情報を導出し、導出された情報に応じて画像の輝度レベルを制御する。
【００６４】
より詳しくは、制御機構８は、取出し期間ｔ３に、上記合成情報として第１残留電圧ＶＤＤ−ＶＴ及び第２残留電圧ＶＤＤ−ＶＴ−ＶＬの差の情報を検出情報取出し線Ｗ及び出力端子Ｔｏｕｔを介して取出し、この情報を基に外光の照度の情報を導出し、導出された情報に応じて画像の輝度レベルを制御する。
【００６５】
この実施例１において、出力端子Ｔｏｕｔからは、（第１残留電圧）−（第２残留電圧）＝ＶＬの電圧（情報）が出力される。  
以上で、取出し動作が終了する。
【００６６】
このため、センサユニット２付近の温度変化に関係なく、表示面Ｓ側から照射される外光Ｌの照度を精度良く検出することができる。
【００６７】
なお、経過時間に対する出力電圧の変化を図１３に示す。図に示すように、電圧ＶＬの値は、保持期間ｔ２の経過とともに電位が上昇し、また、外光Ｌの照度が高い程電位が上昇することが分かる。
【００６８】
なお、取出し動作は、保持期間ｔ２内の所定の期間、例えば書込み期間終了後から一定期間経過後に行えば良い。又は、取出し動作は、電圧ＶＬの値が特定の値に達したときに行えば良い。この場合、制御機構８は、書込み期間終了後から電圧ＶＬの値が特定の値に達するまでの期間の長さにも基づいて外光の照度の情報を導出すれば良い。
【００６９】
（実施例２）
実施例２では、液晶表示装置は、センサユニット２以外、上述したように形成されている。実施例２のセンサユニット２は、実施例１のセンサユニット２の変形例であり、実施例１と同様の効果を得ることができる。  
まず、実施例２のセンサユニット２について説明する。
【００７０】
図７、図８、図１４、図１５及び図１６に示すように、センサユニット２は、第１センサＳ１と、第２センサＳ２と、第１切換えスイッチＳＷ１と、第２切換えスイッチＳＷ２と、検出情報取出し線Ｗとを有している。
【００７１】
第２ダイオードＤ２の陽極Ｄ２ａは、第１ダイオードＤ１の陽極Ｄ１ａに接続されている。検出情報取出し線Ｗは、第２ダイオードＤ２の陰極Ｄ２ｃ及び出力端子Ｔｏｕｔに接続されている。
【００７２】
第１切換えスイッチＳＷ１は、第１ダイオードＤ１の陽極Ｄ１ａ及び第２ダイオードＤ２の陽極Ｄ２ａ、並びに第２電源端子Ｔ２間に接続されている。第２切換えスイッチＳＷ２は、第１ダイオードＤ１の陰極Ｄ１ｃ及び第１電源端子Ｔ１、並びに第２ダイオードＤ２の陰極Ｄ２ｃ間に接続されている。  
実施例２において、他の構成は上述した実施例１と同一であり、同一の部分には同一の符号を付してその詳細な説明を省略する。
【００７３】
次に、液晶表示装置の制御方法について説明する。  
まず、書込み動作について説明する。  
図１４及び図１、７、８、１２に示すように、書込み期間ｔ１において、制御機構８から、第１切換えスイッチＳＷ１及び第２切換えスイッチＳＷ２をオン状態とする制御信号が与えられる。
【００７４】
これにより、第１電源端子Ｔ１から第１コンデンサＣ１及び第２コンデンサＣ２にそれぞれ基準電圧ＶＤＤを印加し、センサユニット２の電圧をリセットさせる。同時に、第１コンデンサＣ１及び第２コンデンサＣ２に基準電圧ＶＤＤを保持（記憶）させる。  
以上で、書込み動作が終了する。
【００７５】
次に、保持動作について説明する。  
図１５及び図１、７、８、１２に示すように、保持期間ｔ２において、まず、第２切換えスイッチＳＷ２をオン状態に維持したまま、第１切換えスイッチＳＷ１を非導通状態（オフ状態）に切換える。すなわち、制御機構８から、第１切換えスイッチＳＷ１をオフ状態とする制御信号を与える。これにより、第１電源端子Ｔ１から第２電源端子Ｔ２に流れる恐れのある突き抜け電流の発生を防止することができ、外光Ｌの照度を高い検出精度で安定して得ることができる。
【００７６】
図１６及び図１、７、８、１２に示すように、その後、第１切換えスイッチＳＷ１をオフ状態に維持したまま、第２切換えスイッチＳＷ２をオフ状態に切換える。すなわち、制御機構８から、第２切換えスイッチＳＷ２をオフ状態とする制御信号を与える。
【００７７】
そして、保持期間ｔ２に、第１ダイオードＤ１により第１コンデンサＣ１の保持する基準電圧ＶＤＤが降下し、第１コンデンサＣ１に第１残留電圧ＶＤＤ−ＶＴを保持させ、かつ、第２ダイオードＤ２により第２コンデンサＣ２の保持する基準電圧ＶＤＤが降下し、第２コンデンサＣ２に第２残留電圧ＶＤＤ−ＶＴ−ＶＬを保持させる。  
以上で、保持動作が終了する。
【００７８】
次に、取出し動作について説明する。  
図１６及び図１、７、８、１２に示すように、取出し期間ｔ３に、制御機構８は、第１センサＳ１によって検出される情報及び第２センサＳ２によって検出される情報の合成情報を取出し、合成情報に基づいて外光Ｌの照度の情報を導出し、導出された情報に応じて画像の輝度レベルを制御する。
【００７９】
より詳しくは、制御機構８は、取出し期間ｔ３に、上記合成情報として第１残留電圧ＶＤＤ−ＶＴ及び第２残留電圧ＶＤＤ−ＶＴ−ＶＬの差の情報を検出情報取出し線Ｗ及び出力端子Ｔｏｕｔを介して取出し、この情報を基に外光の照度の情報を導出し、導出された情報に応じて画像の輝度レベルを制御する。
【００８０】
この実施例１において、出力端子Ｔｏｕｔからは、（第２残留電圧）−（第１残留電圧）＝−ＶＬの電圧（情報）が出力される。  
以上で、取出し動作が終了する。
【００８１】
このため、センサユニット２付近の温度変化に関係なく、表示面Ｓ側から照射される外光Ｌの照度を精度良く検出することができる。
【００８２】
なお、経過時間に対する出力電圧の変化は、図１３の電圧値の正負を反転することで示される。図に示すように、電圧ＶＬの値は、保持期間ｔ２の経過とともに電位が下降し、また、外光Ｌの照度が高い程電位が下降する。
【００８３】
（比較例）
比較例では、液晶表示装置は、センサユニット２以外、実施例１の液晶表示装置と同様に形成されている。  
まず、比較例のセンサユニット２について説明する。
【００８４】
図１及び図１７に示すように、センサユニット２は、第３センサＳ３と、第３切換えスイッチＳＷ３と、検出情報取出し線Ｗとを有している。
【００８５】
第３センサＳ３は、第３コンデンサＣ３と、第３ダイオードＤ３とを有している。第３センサＳ３は上述した第２センサＳ２と同様に構成されている。第３コンデンサＣ３は上述した第２コンデンサＣ２と同様に構成され、第３ダイオードＤ３は上述した第２ダイオードＤ２と同様に構成されている。第３ダイオードＤ３は、表示面Ｓ側を除いて遮光されている。第３ダイオードＤ３の陽極は第２電源端子Ｔ２に接続されている。
【００８６】
第３切換えスイッチＳＷ３は、第３ダイオードＤ３の陰極及び第１電源端子Ｔ１間に接続されている。第３切換えスイッチＳＷ３は、実施例２の第２切換えスイッチＳＷ２と同様に構成されている。第３切換えスイッチＳＷ３は、処理部７からの制御信号に応答してオン、オフされる。
【００８７】
検出情報取出し線Ｗは、第３ダイオードＤ３の陰極及び出力端子Ｔｏｕｔに接続されている。
【００８８】
次に、液晶表示装置の制御方法について説明する。  
書込み期間ｔ１において、制御機構８から、第３切換えスイッチＳＷ３をオン状態とする制御信号が与えられる。これにより、第３コンデンサＣ３に基準電圧ＶＤＤを保持（記憶）させる。
【００８９】
その後、保持期間ｔ２において、第３切換えスイッチＳＷ３をオフ状態に切換える。すなわち、制御機構８から、第３切換えスイッチＳＷ３をオフ状態とする制御信号を与える。  
続く、保持期間ｔ２に、第３ダイオードＤ３により第３コンデンサＣ３の保持する基準電圧ＶＤＤが降下し、第３コンデンサＣ３に第３残留電圧ＶＤＤ−ＶＴ−ＶＬを保持させる。  
そして、取出し期間ｔ３に、制御機構８は、第３センサＳ３によって検出される情報を取出し、取出した情報に基づいて外光Ｌの照度の情報を導出し、導出された情報に応じて画像の輝度レベルを制御する。
【００９０】
より詳しくは、制御機構８は、取出し期間ｔ３に、第３残留電圧の情報を検出情報取出し線Ｗ及び出力端子Ｔｏｕｔを介して取出し、この情報を基に外光の照度の情報を導出し、導出された情報に応じて画像の輝度レベルを制御する。
【００９１】
この比較例において、出力端子Ｔｏｕｔからは、出力電圧として、ＶＤＤ−ＶＴ−ＶＬの電圧（情報）が出力される。  
以上で、取出し動作が終了する。
【００９２】
ここで、本願発明者等は、比較例の液晶表示装置を用い、保持期間ｔ２の経過時間に対する出力電圧の変化を調査した。
【００９３】
調査したところ、図１８に示すように、外光Ｌの照度が高い場合、比較例のセンサユニット２は外光Ｌの照度を精度良く検出することができることが分かる。これは、第３ダイオードＤ３付近の温度に応じた第３ダイオードＤ３の導電性の変化量が、表示面Ｓ側から照射される外光Ｌの照度に応じた第３ダイオードＤ３の導電性の変化量に比べて十分に小さいためである。このため、外光Ｌの照度が高い場合、出力電圧ＶＤＤ−ＶＴ−ＶＬは、電圧ＶＤＤ−ＶＬにほぼ等しい。
【００９４】
外光Ｌの照度が低い場合、比較例のセンサユニット２は外光Ｌの照度を精度良く検出することができないことが分かる。これは、第３ダイオードＤ３付近の温度に応じた第３ダイオードＤ３の導電性の変化量が、表示面Ｓ側から照射される外光Ｌの照度に応じた第３ダイオードＤ３の導電性の変化量に比べて十分に大きいためである。このため、外光Ｌの照度が低い場合、出力電圧ＶＤＤ−ＶＴ−ＶＬは、電圧ＶＤＤ−ＶＬと異なる。
【００９５】
また、本願発明者等は、外光Ｌの照度に対する画像の輝度レベル（調光値）の変化を調査した。
【００９６】
図１９に示すように、上記したことから、外光Ｌの照度が高い場合、制御機構８は、画像の輝度レベルを精度良く調整することができることが分かる。また、外光Ｌの照度が低い場合、制御機構８は、画像の輝度レベルを精度良く調整することができない。すなわち、外光Ｌの照度が低い場合、制御機構８は、必要以上に画像の輝度レベルを高くするように調整することになる。すると、例えば、バックライトユニット４からの光放出量を制御することにより画像の輝度レベルを制御する場合、低消費電力化を図ることができない。
【００９７】
なお、言うまでもないが、上述した実施例１及び実施例２において、センサユニット２は、出力端子Ｔｏｕｔから電圧ＶＬの情報のみを出力し、電圧ＶＴの情報は出力していない。このため、実施例１及び実施例２のセンサユニット２は、外光Ｌの照度が低い場合であっても外光Ｌの照度を精度良く検出することができる。このため、実施例１及び実施例２の液晶表示装置は、外光Ｌの照度が低い場合に、上記低消費電力化を図ることができる。
【００９８】
（実施例３）
実施例３において、まず、本願発明者等は、実施例２の液晶表示装置を用い、保持期間ｔ２の経過時間に対する出力電圧の変化を調査した。すなわち、実施例２の液晶表示装置を用い、比較例で行った調査と同じ調査を行った。
【００９９】
調査したところ、図２０に示すように、外光Ｌの照度が低い場合、比較例のセンサユニット２は外光Ｌの照度を精度良く検出することができることが分かる。  
外光Ｌの照度が高い場合、比較例のセンサユニット２は外光Ｌの照度を精度良く検出することができないことが分かる。これは、第１センサＳ１の電気的特性に悪影響を及ぼすためである。上記したことは、第２ダイオードＤ２の導電性が高まり、第２ダイオードＤ２の陽極Ｄ２ａ及び陰極Ｄ２ｃ間に生じるリーク電流が大きくなるためであり、かつ、第２ダイオードＤ２が第１ダイオードＤ１に接続されているためである。このため、外光Ｌの照度が高い場合、出力電圧は−ＶＬとならず、−ＶＬ＋αとなる。  
上記したことは、特に、書込み期間終了後から一定期間経過後に取出し動作を行う場合に問題となる。
【０１００】
また、実施例３において、本願発明者等は、外光Ｌの照度に対する画像の輝度レベル（調光値）の変化を調査した。すなわち、実施例２の液晶表示装置を用い、比較例で行った調査と同じ調査を行った。
【０１０１】
図２１に示すように、上記したことから、外光Ｌの照度が低い場合、制御機構８は、画像の輝度レベルを精度良く調整することができることが分かる。また、外光Ｌの照度が高い場合、制御機構８は、画像の輝度レベルを精度良く調整することができない。すなわち、外光Ｌの照度が高い場合、制御機構８は、画像の輝度レベルを低くするように調整することになる。すると、観察者は、画像を識別することが困難となる。
【０１０２】
上記したことから、外光Ｌの照度が高い場合であっても、実施例２（実施例１）のセンサユニット２を用いて外光Ｌの照度を精度良く検出する必要がある。次に、外光Ｌの照度が高い場合であっても、外光Ｌの照度を精度良く検出できる液晶表示装置の制御方法について説明する。
【０１０３】
実施例３では、液晶表示装置は、実施例２の液晶表示装置と同様に形成されている。  
次に、液晶表示装置の制御方法について説明する。特に、外光Ｌの照度が高い場合において、外光Ｌの照度を検出するための液晶表示装置の制御方法について説明する。外光Ｌの照度を検出するための動作は、書込み期間ｔ１に行われる書込み動作と、保持期間ｔ２に行われる保持動作と、取出し期間ｔ３に行われる取出し動作とに分けられる。
【０１０４】
まず、書込み動作について説明する。  
図２２及び図１、７、８に示すように、書込み期間ｔ１において、制御機構８から、第１切換えスイッチＳＷ１及び第２切換えスイッチＳＷ２をオン状態とする制御信号が与えられる。
【０１０５】
これにより、第１電源端子Ｔ１から第１コンデンサＣ１及び第２コンデンサＣ２にそれぞれ基準電圧ＶＤＤを印加し、センサユニット２の電圧をリセットさせる。同時に、第１コンデンサＣ１及び第２コンデンサＣ２に基準電圧ＶＤＤを保持（記憶）させる。  
以上で、書込み動作が終了する。
【０１０６】
次に、保持動作について説明する。  
図２３及び図１、７、８に示すように、保持期間ｔ２において、第１切換えスイッチＳＷ１をオン状態に維持したまま、第２切換えスイッチＳＷ２をオフ状態に切換える。すなわち、制御機構８から、第２切換えスイッチＳＷ２をオフ状態とする制御信号を与える。
【０１０７】
そして、保持期間ｔ２に、第２ダイオードＤ２により第２コンデンサＣ２の保持する基準電圧ＶＤＤが降下し、第２コンデンサＣ２に第２残留電圧ＶＤＤ−ＶＴ−ＶＬを保持させる。  
以上で、保持動作が終了する。
【０１０８】
次に、取出し動作について説明する。  
図２３及び図１、７、８に示すように、取出し期間ｔ３に、制御機構８は、第２センサＳ２によって検出される単独情報を取出し、単独情報に基づいて外光Ｌの照度の情報を導出し、導出された情報に応じて画像の輝度レベルを制御する。
【０１０９】
より詳しくは、制御機構８は、取出し期間ｔ３に、上記単独情報として第２残留電圧ＶＤＤ−ＶＴ−ＶＬの情報を検出情報取出し線Ｗ及び出力端子Ｔｏｕｔを介して取出し、この情報を基に外光の照度の情報を導出し、導出された情報に応じて画像の輝度レベルを制御する。
【０１１０】
また、第１ダイオードＤ１において、取出し期間ｔ３（逆バイアス時）に、第１ダイオードＤ１は高インピーダンス状態になる。このため、第１センサＳ１から出力端子Ｔｏｕｔに情報が出力されることはない。
【０１１１】
この実施例３において、出力端子Ｔｏｕｔからは、第２残留電圧＝ＶＤＤ−ＶＴ−ＶＬの電圧（情報）が出力される。  
以上で、取出し動作が終了する。
【０１１２】
ここで、比較例で説明したように、外光Ｌの照度が高い場合、出力電圧ＶＤＤ−ＶＴ−ＶＬは、電圧ＶＤＤ−ＶＬにほぼ等しい。  
このため、外光Ｌの照度が高い場合、センサユニット２を比較例のセンサユニットと同様に機能させることにより、表示面Ｓ側から照射される外光Ｌの照度を精度良く検出することができる。
【０１１３】
（実施例４）
次に、実施例３と同様、外光Ｌの照度が高い場合であっても、外光Ｌの照度を精度良く検出できる液晶表示装置の制御方法について説明する。
【０１１４】
実施例４では、液晶表示装置は、実施例１の液晶表示装置と同様に形成されている。  
次に、液晶表示装置の制御方法について説明する。特に、外光Ｌの照度が高い場合において、外光Ｌの照度を検出するための液晶表示装置の制御方法について説明する。外光Ｌの照度を検出するための動作は、書込み期間ｔ１に行われる書込み動作と、保持期間ｔ２に行われる保持動作と、取出し期間ｔ３に行われる取出し動作とに分けられる。
【０１１５】
まず、書込み動作について説明する。  
図２４及び図１、７、８に示すように、書込み期間ｔ１において、制御機構８から、第１切換えスイッチＳＷ１及び第２切換えスイッチＳＷ２をオン状態とする制御信号が与えられる。そして、第１コンデンサＣ１及び第２コンデンサＣ２に基準電圧ＶＤＤを保持（記憶）させることで書込み動作が終了する。
【０１１６】
次に、保持動作について説明する。  
図２５及び図１、７、８に示すように、保持期間ｔ２において、第１切換えスイッチＳＷ１をオン状態に維持したまま、第２切換えスイッチＳＷ２をオフ状態に切換える。すなわち、制御機構８から、第２切換えスイッチＳＷ２をオフ状態とする制御信号を与える。
【０１１７】
そして、保持期間ｔ２に、第２ダイオードＤ２により第２コンデンサＣ２の保持する基準電圧ＶＤＤが降下し、第２コンデンサＣ２に第２残留電圧ＶＤＤ−ＶＴ−ＶＬを保持させる。  
以上で、保持動作が終了する。
【０１１８】
次に、取出し動作について説明する。  
図２５及び図１、７、８に示すように、取出し期間ｔ３に、制御機構８は、第２センサＳ２によって検出される単独情報を取出し、単独情報に基づいて外光Ｌの照度の情報を導出し、導出された情報に応じて画像の輝度レベルを制御する。
【０１１９】
より詳しくは、制御機構８は、取出し期間ｔ３に、上記単独情報として第２残留電圧ＶＤＤ−ＶＴ−ＶＬの情報を検出情報取出し線Ｗ及び出力端子Ｔｏｕｔを介して取出し、この情報を基に外光の照度の情報を導出し、導出された情報に応じて画像の輝度レベルを制御する。
【０１２０】
また、第１ダイオードＤ１において、取出し期間ｔ３（逆バイアス時）に、第１ダイオードＤ１は高インピーダンス状態になる。このため、第１センサＳ１から出力端子Ｔｏｕｔに情報が出力されることはない。
【０１２１】
この実施例４において、出力端子Ｔｏｕｔからは、−（第２残留電圧）＝−ＶＤＤ＋ＶＴ＋ＶＬの電圧（情報）が出力される。  
以上で、取出し動作が終了する。
【０１２２】
外光Ｌの照度が高い場合、出力電圧−ＶＤＤ＋ＶＴ＋ＶＬは、電圧−ＶＤＤ＋ＶＬにほぼ等しい。  
このため、外光Ｌの照度が高い場合、第２センサＳ２のみを使用することにより、表示面Ｓ側から照射される外光Ｌの照度を精度良く検出することができる。
【０１２３】
（実施例５）
上述した実施例１及び実施例４から、外光Ｌの照度が低い場合、制御機構８は実施例１の合成情報を取出し、外光Ｌの照度が高い場合、制御機構８は実施例４の単独情報を取出せば良いことが分かる。上述した実施例２及び実施例３から、外光Ｌの照度が低い場合、制御機構８は実施例２の合成情報を取出し、外光Ｌの照度が高い場合、制御機構８は実施例３の単独情報を取出せば良いことが分かる。
【０１２４】
このため、例えば、図２１の境界より外光Ｌの照度が高い（単独情報を取出す）のか、低い（合成情報を取出す）のか、判断する必要がある。  
次に、外光Ｌの照度に応じた液晶表示装置の制御方法について説明する。
【０１２５】
（実施例５−１）
制御機構８は、第２センサＳ２によって単独情報を検出し、検出される単独情報を基に、第２センサＳ２によって検出される単独情報を取出すか、第１センサＳ１及び第２センサＳ２によって検出される合成情報を取出すか、判断する。単独情報を取出す場合、制御機構８は、単独情報を基に外光Ｌの照度の情報を導出し、導出された情報に応じて画像の輝度レベルを制御する。  
記憶部６には、第２センサＳ２から出力される単独情報（電圧の値）に対応した外光Ｌの照度の情報が予め格納されている。
【０１２６】
（実施例５−２）
制御機構８は、第２センサＳ２によって検出される単独情報を取出すとともに第１センサＳ１及び第２センサＳ２によって検出される合成情報を取出し、単独情報及び合成情報を基に何れの情報を選択するか判断する。単独情報を選択する場合、制御機構８は、単独情報を基に外光Ｌの照度の情報を導出し、導出された情報に応じて画像の輝度レベルを制御する。
【０１２７】
記憶部６には、第２センサＳ２から出力される単独情報（電圧の値）に対応した外光Ｌの照度の情報及び第１センサＳ１及び第２センサＳ２によって出力される合成情報（電圧の値）に対応した外光Ｌの照度の情報が予め格納されている。
【０１２８】
（実施例５−３）
制御機構８は、第２センサＳ２で検出される単独情報を取出し、単独情報を基に外光Ｌの照度の情報を導出するかどうか判断する。単独情報を基に外光Ｌの照度の情報を導出する場合、制御機構８は、単独情報を基に導出された外光Ｌの照度の情報に応じて画像の輝度レベルを制御する。単独情報を基に外光Ｌの照度の情報を導出しない場合、制御機構８は、第１センサＳ１及び第２センサＳ２によって検出される合成情報を取出し、合成情報を基に外光Ｌの照度の情報を導出し、導出された情報に応じて画像の輝度レベルを制御する。  
記憶部６には、第２センサＳ２から出力される単独情報（電圧の値）に対応した外光Ｌの照度の情報が予め格納されている。
【０１２９】
（実施例５−４）
液晶表示装置は、周辺の温度又は外光Ｌの照度の情報を検出するセンサを備えていても良い。このセンサは、例えば、駆動回路３に設けられている。
【０１３０】
制御機構８は、センサで検出される情報を基に、第２センサＳ２によって検出される単独情報を取出すか、第１センサＳ１及び第２センサＳ２によって検出される合成情報を取出すか、判断する。単独情報を取出す場合、制御機構８は、単独情報を基に外光Ｌの照度の情報を導出し、導出された情報に応じて画像の輝度レベルを制御する。
【０１３１】
記憶部６には、センサから出力される情報（電圧の値）に対応した外光Ｌの照度の情報が予め格納されている。
【０１３２】
（実施例６）
実施例６では、液晶表示装置は、センサユニット２が第３センサＳ３及び第３切換えスイッチＳＷ３をさらに有している以外、実施例２の液晶表示装置と同様に形成されている。  
まず、実施例６のセンサユニット２について説明する。
【０１３３】
図７、図８及び図２６に示すように、センサユニット２は、第１センサＳ１と、第２センサＳ２と、第３センサＳ３と、第１切換えスイッチＳＷ１と、第２切換えスイッチＳＷ２と、第３切換えスイッチＳＷ３、検出情報取出し線Ｗ１と、検出情報取出し線Ｗ２とを有している。第３センサＳ３及び第３切換えスイッチＳＷ３は、比較例の第３センサＳ３及び第３切換えスイッチＳＷ３と同様に形成されている。
【０１３４】
例えば、第１電源端子Ｔ１は共通の第１電源線に接続され、第２電源端子Ｔ２は共通の第２電源線に接続されている。  
実施例６において、他の構成は上述した実施例２と同一であり、同一の部分には同一の符号を付してその詳細な説明を省略する。  
次に、外光Ｌの照度に応じた液晶表示装置の制御方法について説明する。
【０１３５】
（実施例６−１）
制御機構８は、まず、第３センサＳ３から単独情報を検出し、検出される単独情報を基に、第２センサＳ２によって検出される単独情報を取出すか、第１センサＳ１及び第２センサＳ２によって検出される合成情報を取出すか、判断する。第２センサＳ２によって検出される単独情報を取出す場合、制御機構８は、第２センサＳ２によって検出される単独情報を基に外光Ｌの照度の情報を導出し、導出された情報に応じて画像の輝度レベルを制御する。
【０１３６】
記憶部６には、第２センサＳ２および第３センサＳ３から出力される単独情報（電圧の値）に対応した外光Ｌの照度の情報及び第１センサＳ１及び第２センサＳ２によって出力される合成情報（電圧の値）に対応した外光Ｌの照度の情報が予め格納されている。
【０１３７】
（実施例６−２）
制御機構８は、第３センサＳ３によって検出される単独情報を取出すとともに第１センサＳ１及び第２センサＳ２によって検出される合成情報を取出し、単独情報及び合成情報を基に何れの情報を選択するか判断する。単独情報を選択する場合、制御機構８は、単独情報を基に外光Ｌの照度の情報を導出し、導出された情報に応じて画像の輝度レベルを制御する。
【０１３８】
記憶部６には、第３センサＳ３から出力される単独情報（電圧の値）に対応した外光Ｌの照度の情報及び第１センサＳ１及び第２センサＳ２によって出力される合成情報（電圧の値）に対応した外光Ｌの照度の情報が予め格納されている。
【０１３９】
（実施例６−３）
制御機構８は、まず、第３センサＳ３で検出される単独情報を取出し、単独情報を基に外光Ｌの照度の情報を導出するかどうか判断する。単独情報を基に外光Ｌの照度の情報を導出する場合、制御機構８は、単独情報を基に導出された外光Ｌの照度の情報に応じて画像の輝度レベルを制御する。
【０１４０】
単独情報を基に外光Ｌの照度の情報を導出しない場合、制御機構８は、第１センサＳ１及び第２センサＳ２によって検出される合成情報を取出し、合成情報を基に外光Ｌの照度の情報を導出し、導出された情報に応じて画像の輝度レベルを制御する。
【０１４１】
記憶部６には、第３センサＳ３から出力される単独情報（電圧の値）に対応した外光Ｌの照度の情報及び第１センサＳ１及び第２センサＳ２によって出力される合成情報（電圧の値）に対応した外光Ｌの照度の情報が予め格納されている。
【０１４２】
上記したことから、外光の照度を正確に検出でき、表示画像の輝度レベルを制御できる液晶表示装置及び液晶表示装置の制御方法を得ることができる。
【０１４３】
（実施例７）
実施例７では、液晶表示装置は、実施例１の液晶表示装置と同様に形成されている。実施例７では、液晶表示装置は、さらに、取得部１００を備えている。実施例７の液晶表示装置は、実施例１の液晶表示装置より精度良く外光Ｌの照度を検出することができる。
【０１４４】
まず、取得部１００について説明する。  
図２７及び図２８に示すように、取得部１００は、コンパレータ、カウンタ及びラッチを２系統有している。すなわち、取得部１００は、直列に接続された第１コンパレータ１１１、第１カウンタ１２１及び第１ラッチ１３１と、直列に接続された第２コンパレータ１１２、第２カウンタ１２２及び第２ラッチ１３２とを有している。
【０１４５】
上記したように、制御機構８は、取出し期間ｔ３に、上記合成情報として第１残留電圧ＶＤＤ−ＶＴ及び第２残留電圧ＶＤＤ−ＶＴ−ＶＬの差の情報を検出情報取出し線Ｗ及び出力端子Ｔｏｕｔを介して取出し、この情報を基に外光の照度の情報を導出し、導出された情報に応じて画像の輝度レベルを制御する。出力端子Ｔｏｕｔからは、（第１残留電圧）−（第２残留電圧）＝ＶＬの電圧（情報）が出力される。
【０１４６】
ＶＬの電圧（情報）は、第１コンパレータ１１１及び第２コンパレータ１１２に出力される。第１コンパレータ１１１は、ＶＬの電圧（情報）が第１規定電圧Ｖｔｐ１（第１規定値）に達したかどうか判断する。第１規定電圧Ｖｔｐ１（第１規定値）に達した場合、第１コンパレータ１１１は、トリガ信号を第１カウンタ１２１に出力する。
【０１４７】
第１カウンタ１２１は時間を計測している。第１カウンタ１２１は、トリガ信号を受けると、その時点でカウント動作を停止する。この実施例では、第１カウンタ１２１は、１３をカウントして動作を停止している。第１ラッチ１３１は、カウント動作を停止した時点でのカウンタ値を格納する。第１ラッチ１３１は、所定のタイミングで処理部７にラッチされた情報を出力する。
【０１４８】
また、第２コンパレータ１１２は、ＶＬの電圧（情報）が第２規定電圧Ｖｔｐ２（第２規定値）に達したかどうか判断する。第２規定電圧Ｖｔｐ２（第２規定値）に達した場合、第２コンパレータ１１２は、トリガ信号を第２カウンタ１２２に出力する。
【０１４９】
第２カウンタ１２２は時間を計測している。第２カウンタ１２２は、トリガ信号を受けると、その時点でカウント動作を停止する。この実施例では、第２カウンタ１２２は、２をカウントして動作を停止している。第２ラッチ１３２は、カウント動作を停止した時点でのカウンタ値を格納する。第２ラッチ１３２は、所定のタイミングで処理部７にラッチされた情報を出力する。
【０１５０】
すると、制御機構８は、第１規定電圧Ｖｔｐ１に達した時点と、第２規定電圧Ｖｔｐ２に達した時点との間の時間の情報を取出することができる。これにより、処理部７は、ＶＬの電圧の傾きを算出することができる。このため、制御機構８は、ＶＬの電圧の傾きの情報を基に外光の照度の情報を導出し、導出された情報に応じて画像の輝度レベルを制御することができる。
【０１５１】
出力端子Ｔｏｕｔから出力されるＶＬの電圧において、初期に電圧値が急激にシフトするが、上述した実施例では、ＶＬの電圧の傾きの情報を基に外光の照度の情報を導出することができる。初期の電圧シフトの影響を受けないため、この実施例の液晶表示装置は、上述した実施例１の液晶表示装置より精度良く外光Ｌの照度を検出することができる。
【０１５２】
図２９に示すように、この実施例の液晶表示装置は、周辺温度が高温であったり、外光Ｌの照度が高い場合、すなわち、リーク電流（電圧降下）が大きい場合であっても、精度良く外光Ｌの照度を検出することができる。この図の例では、第１カウンタ１２１は、１５をカウントして動作を停止し、第２カウンタ１２２は、９をカウントして動作を停止している。
【０１５３】
なお、上述した実施例の取得部１００において、第２コンパレータ１１２を設けずに、第１コンパレータ１１１を１つのみ設け、１つの第１コンパレータ１１１で代用して用いても良い。また、上述した実施例の取得部１００は、コンパレータ、カウンタ及びラッチを少なくとも１系統有していれば良く、１系統で代用することもできる。
【０１５４】
その他、第１カウンタ１２１及び第２カウンタ１２２に供給するクロックは、デューティーが常に均等であっても良く、不均等であっても良い。後者のようにすることにより、ガンマ特性を変化することができる。  
上記したことから、外光の照度を正確に検出でき、表示画像の輝度レベルを制御できる液晶表示装置及び液晶表示装置の制御方法を得ることができる。
【０１５５】
（実施例８）
図３０に示すように、実施例８では、第１センサＳ１及び第２センサＳ２は独立している。実施例８では、液晶表示装置は、さらに、取得部１００を備えている。上記した以外、液晶表示装置は、実施例１の液晶表示装置と同様に形成されている。実施例８の液晶表示装置は、実施例１の液晶表示装置より精度良く外光Ｌの照度を検出することができる。
【０１５６】
まず、取得部１００について説明する。  
図３０及び図３１に示すように、取得部１００は、コンパレータ、カウンタ及びラッチを４系統有している。すなわち、取得部１００は、直列に接続された第１コンパレータ１１１ａ、第１カウンタ１２１ａ及び第１ラッチ１３１ａと、直列に接続された第２コンパレータ１１２ａ、第２カウンタ１２２ａ及び第２ラッチ１３２ａと、直列に接続された第３コンパレータ１１１ｂ、第３カウンタ１２１ｂ及び第３ラッチ１３１ｂと、直列に接続された第４コンパレータ１１２ｂ、第４カウンタ１２２ｂ及び第４ラッチ１３２ｂと、を有している。これらコンパレータ、カウンタ及びラッチは実施例７における動作と同様に動作するものである。
【０１５７】
制御機構８は、取出し期間に、上記合成情報として第１残留電圧ＶＤＤ−ＶＴ及び第２残留電圧ＶＤＤ−ＶＴ−ＶＬの差の情報を検出情報取出し線及び出力端子Ｔｏｕｔ１、Ｔｏｕｔ２を介して取出し、この情報を基に外光の照度の情報を導出し、導出された情報に応じて画像の輝度レベルを制御する。出力端子Ｔｏｕｔ１からは、ＶＤＤ−ＶＴの電圧（情報）が出力される。出力端子Ｔｏｕｔ２からは、ＶＤＤ−ＶＴ−ＶＬの電圧（情報）が出力される。
【０１５８】
ＶＤＤ−ＶＴの電圧（情報）は、第１コンパレータ１１１ａ及び第２コンパレータ１１２ａに出力される。すると、第１コンパレータ１１１ａ、第１カウンタ１２１ａ、第１ラッチ１３１ａ、第２コンパレータ１１２ａ、第２カウンタ１２２ａ及び第２ラッチ１３２ａにより、制御機構８は、ＶＤＤ−ＶＴの電圧（情報）が、第１規定電圧Ｖｔｐ１（第１規定値）に達した時点と、第２規定電圧Ｖｔｐ２（第２規定値）に達した時点との間の第１時間の情報を取出す。これにより、処理部７は、ＶＤＤ−ＶＴの電圧の傾きを算出することができる。
【０１５９】
また、ＶＤＤ−ＶＴ−ＶＬの電圧（情報）は、第３コンパレータ１１１ｂ及び第４コンパレータ１１２ｂに出力される。すると、第３コンパレータ１１１ｂ、第３カウンタ１２１ｂ、第３ラッチ１３１ｂ、第４コンパレータ１１２ｂ、第４カウンタ１２２ｂ及び第４ラッチ１３２ｂにより、制御機構８は、ＶＤＤ−ＶＴ−ＶＬの電圧（情報）が、第１規定電圧Ｖｔｐ１（第１規定値）に達した時点と、第２規定電圧Ｖｔｐ２（第２規定値）に達した時点との間の第２時間の情報を取出す。これにより、処理部７は、ＶＤＤ−ＶＴ−ＶＬの電圧の傾きを算出することができる。
【０１６０】
処理部７は、上記第１時間と第２時間との差を算出することができる。このため、制御機構８は、上記第１時間と第２時間との差の合成情報を取出し、この合成情報に基づいて外光の照度の情報を導出うすることができる。
【０１６１】
その他、処理部７は、ＶＤＤ−ＶＴの電圧の傾きと、ＶＤＤ−ＶＴ−ＶＬの電圧の傾きとの差を算出することができる。すなわち、処理部７は、ＶＬの電圧の傾きを算出することができる。このため、制御機構８は、ＶＬの電圧の傾きの情報を基に外光の照度の情報を導出することができる。  
上記したことから、外光の照度を正確に検出でき、表示画像の輝度レベルを制御できる液晶表示装置及び液晶表示装置の制御方法を得ることができる。
【０１６２】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１６３】
第１ダイオードＤ１及び第２ダイオードＤ２等を遮光する手段は、種々変形可能である。例えば、図３２に示すように、バックライト光を遮光層ＢＬで遮光しても良い。遮光層ＢＬは、ガラス基板１０ｓ上に金属材料で形成されている。
【０１６４】
第１ダイオードＤ１、第２ダイオードＤ２及び第３ダイオードＤ３は、これら周辺の温度を均一にするために１個所に集めると良いが、これらは液晶表示パネル１にばらばらに設けられていても良い。センサユニット２は、アレイ基板１０側に限らず、対向基板４０側に設けられていても良い。  
第１検知素子及び第２検知素子等の検知素子は、ＴＦＤ（薄膜ダイオード）等により構成してもよく、保持部に保持された電圧を変化させる機能を有していれば良い。
【０１６５】
カラーフィルタ６０は、対向基板４０側に限らず、アレイ基板１０側に設けられていても良い。
【０１６６】
上記取得部１００（コンパレータ、カウンタ及びラッチ）は、ガラス基板１０ｓ上に形成されていても良い。但し、取得部１００の内、カウンタ及びラッチは、駆動回路３又は処理部７に組み込まれていても良い。
【０１６７】
制御機構８は、導出された情報に応じて画像の輝度レベルを制御するものであるが、これに限定されるものではなく、導出された情報に応じてシステムの動作を制御するものであれば良い。例えば、携帯電話用途の液晶表示装置において、制御機構８は、操作部（キー）を発光させるように制御しても良い。より詳しくは、外光Ｌの照度が高いと判断されたときは操作部（キー）を発光させず、逆に外光Ｌの照度が低いと判断されたときは操作部（キー）を発光させる。このようにシステムの制御を行うことでユーザーは暗闇でもボタンを押し間違えることが少なく、快適に操作することが可能となる。
【０１６８】
この発明は、液晶表示装置及び液晶表示装置の制御方法に限定されるものではなく、表示装置及び表示装置の制御方法に適用可能である。
以下に、本願出願の当初の特許請求の範囲に記載された発明を付記する。
［１］画像を表示する表示面を有した表示パネルと、
前記表示パネルに設けられ、温度を検出する第１センサと、
前記表示パネルに設けられ、温度及び前記表示面側から照射される外光の照度を検出する第２センサと、
前記第１センサによって検出される情報及び第２センサによって検出される情報の合成情報を取出し、前記合成情報に基づいて外光の照度の情報を導出し、導出された情報に応じてシステムの動作を制御する制御機構と、を備えた表示装置。
［２］前記第１センサ及び第２センサに電気的に接続され電源部をさらに備え、
前記第１センサは、電圧を保持する第１保持部と、前記第１保持部に電気的に接続され、温度に応じて前記第１保持部に保持された電圧を変化させる第１検知素子と、を有し、
前記第２センサは、電圧を保持する第２保持部と、前記第２保持部に電気的に接続され、温度及び前記表示面側から照射される外光の照度に応じて前記第２保持部に保持された電圧を変化させる第２検知素子と、を有し、前記第１センサに接続され、
前記制御機構は、
書込み期間に、前記電源部から前記第１保持部及び第２保持部にそれぞれ基準電圧を印加し、保持させ、
前記書込み期間に続く保持期間に、前記第１検知素子により前記第１保持部の保持する基準電圧が降下し、前記第１保持部に第１残留電圧を保持させ、かつ、前記第２検知素子により前記第２保持部の保持する基準電圧が降下し、前記第２保持部に第２残留電圧を保持させ、
前記保持期間内の取出し期間に、前記合成情報として前記第１残留電圧及び第２残留電圧の差の情報を取出し、この情報を基に外光の照度の情報を導出し、導出された情報に応じてシステムの動作を制御する［１］に記載の表示装置。
［３］第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陰極が前記第１ダイオードの陰極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陰極及び第２ダイオードの陰極、並びに前記第１電源端子間に接続され、
前記第２切換えスイッチは、前記第１ダイオードの陽極及び第２電源端子、並びに前記第２ダイオードの陽極間に接続され、
前記検出情報取出し線は、前記第２ダイオードの陽極に接続され、
前記制御機構は、
前記書込み期間に、前記第１切換えスイッチ及び第２切換えスイッチを導通状態にさせ、
前記保持期間に、前記第１切換えスイッチ及び第２切換えスイッチを非導通状態にさせ、
前記取出し期間に、前記第１残留電圧及び第２残留電圧の差の情報を前記検出情報取出し線から取出す［２］に記載の表示装置。
［４］第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陽極が前記第１ダイオードの陽極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陽極及び第２ダイオードの陽極、並びに前記第２電源端子間に接続され、
前記第２切換えスイッチは、前記第１ダイオードの陰極及び第１電源端子、並びに前記第２ダイオードの陰極間に接続され、
前記検出情報取出し線は、前記第２ダイオードの陰極に接続され、
前記制御機構は、
前記書込み期間に、前記第１切換えスイッチ及び第２切換えスイッチを導通状態にさせ、
前記保持期間に、前記第１切換えスイッチ及び第２切換えスイッチを非導通状態にさせ、
前記取出し期間に、前記第１残留電圧及び第２残留電圧の差の情報を前記検出情報取出し線から取出す［２］に記載の表示装置。
［５］前記制御機構は、前記保持期間に、前記第１切換えスイッチを非導通状態にさせた後、前記第２切換えスイッチを非導通状態にさせる［３］又は［４］に記載の表示装置。
［６］前記制御機構は、前記第２センサで検出される単独情報を基に、前記第２センサによって検出される単独情報を取出すか、前記第１センサ及び第２センサによって検出される合成情報を取出すか、判断し、
前記単独情報を取出す場合、前記単独情報を基に外光の照度の情報を導出し、導出された情報に応じてシステムの動作を制御する［１］に記載の表示装置。
［７］前記制御機構は、前記第２センサによって検出される単独情報を取出すとともに前記第１センサ及び第２センサによって検出される合成情報を取出し、前記単独情報及び合成情報を基に何れの情報を選択するか判断し、
前記単独情報を選択する場合、前記単独情報を基に外光の照度の情報を導出し、導出された情報に応じてシステムの動作を制御する［１］に記載の表示装置。
［８］前記制御機構は、前記第２センサで検出される単独情報を取出し、前記単独情報を基に外光の照度の情報を導出するかどうか判断し、
前記単独情報を基に外光の照度の情報を導出する場合、前記単独情報を基に導出された外光の照度の情報に応じてシステムの動作を制御し、
前記単独情報を基に外光の照度の情報を導出しない場合、前記第１センサ及び第２センサによって検出される合成情報を取出し、前記合成情報を基に外光の照度の情報を導出し、導出された情報に応じてシステムの動作を制御する［１］に記載の表示装置。
［９］温度又は外光の照度の情報を検出する第３センサをさらに備え、
前記制御機構は、前記第３センサで検出される情報を基に、前記第２センサによって検出される単独情報を取出すか、前記第１センサ及び第２センサによって検出される合成情報を取出すか、判断し、
前記単独情報を取出す場合、前記単独情報を基に外光の照度の情報を導出し、導出された情報に応じてシステムの動作を制御する［１］に記載の表示装置。
［１０］前記第１センサ及び第２センサに電気的に接続され電源部をさらに備え、
前記第１センサは、電圧を保持する第１保持部と、前記第１保持部に電気的に接続され、温度に応じて前記第１保持部に保持された電圧を変化させる第１検知素子と、を有し、
前記第２センサは、電圧を保持する第２保持部と、前記第２保持部に電気的に接続され、温度及び前記表示面側から照射される外光の照度に応じて前記第２保持部に保持された電圧を変化させる第２検知素子と、を有し、前記第１センサに接続され、
前記制御機構は、前記単独情報を取出す場合、
書込み期間に、前記電源部から前記第１保持部及び第２保持部にそれぞれ基準電圧を印加し、保持させ、
前記書込み期間に続く保持期間に、前記第２検知素子により前記第２保持部の保持する基準電圧が降下し、前記第２保持部に残留電圧を保持させ、
前記保持期間内の取出し期間に、前記単独情報として前記残留電圧の情報を取出し、この情報を基に外光の照度の情報を導出し、導出された情報に応じてシステムの動作を制御する［６］乃至［９］の何れか１に記載の表示装置。
［１１］第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陰極が前記第１ダイオードの陰極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陰極及び第２ダイオードの陰極、並びに前記第１電源端子間に接続され、
前記第２切換えスイッチは、前記第１ダイオードの陽極及び第２電源端子、並びに前記第２ダイオードの陽極間に接続され、
前記検出情報取出し線は、前記第２ダイオードの陽極に接続され、
前記制御機構は、前記単独情報を取出す場合、
前記書込み期間に、前記第１切換えスイッチ及び第２切換えスイッチを導通状態にさせ、
前記保持期間に、前記第２切換えスイッチを非導通状態にさせ、
前記取出し期間に、前記残留電圧の情報を前記検出情報取出し線から取出す［１０］に記載の表示装置。
［１２］第１切換えスイッチと、
第２切換えスイッチと、
検出情報取出し線と、をさらに備え、
前記電源部は、相対的に高い電位に設定された第１電源端子と、相対的に低い電位に設定された第２電源端子と、を有し、
前記第１検知素子は、遮光された第１ダイオードであり、
前記第１保持部は、前記第１ダイオードの陽極及び陰極に接続された第１コンデンサであり、
前記第２検知素子は、陽極が前記第１ダイオードの陽極に接続され、前記表示面側を除いて遮光された第２ダイオードであり、
前記第２保持部は、前記第２ダイオードの陽極及び陰極に接続された第２コンデンサであり、
前記第１切換えスイッチは、前記第１ダイオードの陽極及び第２ダイオードの陽極、並びに前記第２電源端子間に接続され、
前記第２切換えスイッチは、前記第１ダイオードの陰極及び第１電源端子、並びに前記第２ダイオードの陰極間に接続され、
前記検出情報取出し線は、前記第２ダイオードの陰極に接続され、
前記制御機構は、前記単独情報を取出す場合、
前記書込み期間に、前記第１切換えスイッチ及び第２切換えスイッチを導通状態にさせ、
前記保持期間に、前記第２切換えスイッチを非導通状態にさせ、
前記取出し期間に、前記残留電圧の情報を前記検出情報取出し線から取出す［１０］に記載の表示装置。
［１３］前記表示パネルに設けられ、前記第２センサと同一に形成され、温度及び前記表示面側から照射される外光の照度を検出する第３センサをさらに備え、
前記制御機構は、前記第３センサで検出される単独情報を基に、前記第２センサによって検出される単独情報を取出すか、前記第１センサ及び第２センサによって検出される合成情報を取出すか、判断し、
前記第２センサによって検出される単独情報を取出す場合、前記第２センサによって検出される単独情報を基に外光の照度の情報を導出し、導出された情報に応じてシステムの動作を制御する［１］に記載の表示装置。
［１４］前記表示パネルに設けられ、前記第２センサと同一に形成され、温度及び前記表示面側から照射される外光の照度を検出する第３センサをさらに備え、
前記制御機構は、前記第３センサによって検出される単独情報を取出すとともに前記第１センサ及び第２センサによって検出される合成情報を取出し、前記単独情報及び合成情報を基に何れの情報を選択するか判断し、
前記単独情報を選択する場合、前記単独情報を基に外光の照度の情報を導出し、導出された情報に応じてシステムの動作を制御する［１］に記載の表示装置。
［１５］前記表示パネルに設けられ、前記第２センサと同一に形成され、温度及び前記表示面側から照射される外光の照度を検出する第３センサをさらに備え、
前記制御機構は、前記第３センサで検出される単独情報を取出し、前記単独情報を基に外光の照度の情報を導出するかどうか判断し、
前記単独情報を基に外光の照度の情報を導出する場合、前記単独情報を基に導出された外光の照度の情報に応じてシステムの動作を制御し、
前記単独情報を基に外光の照度の情報を導出しない場合、前記第１センサ及び第２センサによって検出される合成情報を取出し、前記合成情報を基に外光の照度の情報を導出し、導出された情報に応じてシステムの動作を制御する［１］に記載の表示装置。
［１６］前記第３センサに電気的に接続され電源部をさらに備え、
前記第３センサは、電圧を保持する保持部と、前記保持部に電気的に接続され、温度に応じて前記保持部に保持された電圧を変化させる検知素子と、を有し、
前記制御機構は、前記単独情報を取出す場合、
書込み期間に、前記電源部から前記保持部に基準電圧を印加し、保持させ、
前記書込み期間に続く保持期間に、前記検知素子により前記保持部の保持する基準電圧が降下し、前記保持部に残留電圧を保持させ、
前記保持期間内の取出し期間に、前記単独情報として前記残留電圧の情報を取出し、この情報を基に外光の照度の情報を導出し、導出された情報に応じてシステムの動作を制御する［１３］乃至［１５］の何れか１に記載の表示装置。
［１７］切換えスイッチと、
検出情報取出し線と、をさらに備え、
前記電源部は、相対的に高い電位に設定された第１電源端子と、相対的に低い電位に設定された第２電源端子と、を有し、
前記検知素子は、陰極が前記第１電源端子に接続され、前記表示面側を除いて遮光されたダイオードであり、
前記保持部は、前記ダイオードの陽極及び陰極に接続されたコンデンサであり、
前記切換えスイッチは、前記ダイオードの陽極及び前記第２電源端子間に接続され、
前記検出情報取出し線は、前記ダイオードの陽極に接続され、
前記制御機構は、前記単独情報を取出す場合、
前記書込み期間に、前記切換えスイッチを導通状態にさせ、
前記保持期間に、前記切換えスイッチを非導通状態にさせ、
前記取出し期間に、前記残留電圧の情報を前記検出情報取出し線から取出す［１６］に記載の表示装置。
［１８］切換えスイッチと、
検出情報取出し線と、をさらに備え、
前記電源部は、相対的に高い電位に設定された第１電源端子と、相対的に低い電位に設定された第２電源端子と、を有し、
前記検知素子は、陽極が前記第２電源端子に接続され、前記表示面側を除いて遮光されたダイオードであり、
前記保持部は、前記ダイオードの陽極及び陰極に接続されたコンデンサであり、
前記切換えスイッチは、前記ダイオードの陰極及び前記第１電源端子間に接続され、
前記検出情報取出し線は、前記ダイオードの陰極に接続され、
前記制御機構は、前記単独情報を取出す場合、
前記書込み期間に、前記切換えスイッチを導通状態にさせ、
前記保持期間に、前記切換えスイッチを非導通状態にさせ、
前記取出し期間に、前記残留電圧の情報を前記検出情報取出し線から取出す［１６］に記載の表示装置。
［１９］前記表示パネルは、複数のスイッチング素子を含んだ複数の表示画素を有し、
前記スイッチング素子、第１センサ及び第２センサは、多結晶シリコンを用いて形成されている［１］に記載の表示装置。
［２０］前記第１検知素子及び第２検知素子は、薄膜ダイオードである［２］又は［１０］に記載の表示装置。
［２１］前記制御機構は、前記合成情報が第１規定値に達した時点と、第２規定値に達した時点との間の時間の情報を取出し、前記取出した情報に基づいて外光の照度の情報を導出し、導出された情報に応じてシステムの動作を制御する［１］に記載の表示装置。
［２２］前記制御機構は、前記第１センサによって検出される情報が第１規定値に達した時点と、第２規定値に達した時点との間の第１時間の情報を取出し、前記第２センサによって検出される情報が前記第１規定値に達した時点と、前記第２規定値に達した時点との間の第２時間の情報を取出し、前記第１時間及び第２時間の差の合成情報を取出し、前記合成情報に基づいて外光の照度の情報を導出し、導出された情報に応じてシステムの動作を制御する［１］に記載の表示装置。
［２３］画像を表示する表示面を有した表示パネルと、前記表示パネルに設けられ、温度を検出する第１センサと、前記表示パネルに設けられ、温度及び前記表示面側から照射される外光の照度を検出する第２センサと、を備えた表示装置の制御方法において、
前記第１センサによって検出される情報及び第２センサによって検出される情報の合成情報を取出し、
前記合成情報に基づいて外光の照度の情報を導出し、
導出された情報に応じてシステムの動作を制御する表示装置の制御方法。
【図面の簡単な説明】
【０１６９】
【図１】この発明の実施の形態に係る液晶表示装置を示す概略図。
【図２】上記液晶表示装置を示す断面図。
【図３】図１に示した液晶表示パネル及びセンサユニットを示す平面図。
【図４】図１乃至図３に示したアレイ基板の一部を示す拡大平面図。
【図５】図４に示した液晶表示装置の線Ｖ−Ｖ断面図。
【図６】上記液晶表示装置のセンサユニットを示す回路構成図。
【図７】上記液晶表示装置の一部を示す拡大断面図であり、特に、第１ダイオードを示す図。
【図８】上記液晶表示装置の一部を示す拡大断面図であり、特に、第２ダイオードを示す図。
【図９】この発明の実施の形態の実施例１の液晶表示装置の書込み動作におけるセンサユニットを示す等価回路。
【図１０】上記実施例１の液晶表示装置の保持動作におけるセンサユニットを示す等価回路。
【図１１】図１０に続く、上記実施例１の液晶表示装置の保持動作及び取出し動作におけるセンサユニットを示す等価回路。
【図１２】上記実施例１の書込み期間、保持期間及び取出し期間における第１切換えスイッチ及び第２切換えスイッチに与える制御信号の変化を示すタイミングチャート。
【図１３】上記実施例１の液晶表示装置のセンサユニットにおいて、経過時間に対する出力電圧の変化をグラフで示した図。
【図１４】この発明の実施の形態の実施例２のセンサユニットを示す回路構成図であり、特に、液晶表示装置の書込み動作におけるセンサユニットを示す等価回路。
【図１５】上記実施例２の液晶表示装置の保持動作におけるセンサユニットを示す等価回路。
【図１６】図１５に続く、上記実施例２の液晶表示装置の保持動作及び取出し動作におけるセンサユニットを示す等価回路。
【図１７】この発明の比較例の液晶表示装置のセンサユニットを示す回路構成図。
【図１８】上記比較例の液晶表示装置において、保持期間の経過時間に対する出力電圧の変化をグラフで示した図。
【図１９】上記比較例の液晶表示装置において、外光の照度に対する画像の輝度レベルの変化をグラフで示した図。
【図２０】上記実施例２の液晶表示装置において、保持期間の経過時間に対する出力電圧の変化をグラフで示した図。
【図２１】上記実施例２の液晶表示装置において、外光の照度に対する画像の輝度レベルの変化をグラフで示した図。
【図２２】この発明の実施の形態の実施例３のセンサユニットを示す回路構成図であり、特に、外光の照度が高い場合の書込み動作におけるセンサユニットを示す等価回路。
【図２３】上記実施例３のセンサユニットにおいて、外光の照度が高い場合の保持動作及び取出し動作におけるセンサユニットを示す等価回路。
【図２４】この発明の実施の形態の実施例４のセンサユニットを示す回路構成図であり、特に、外光の照度が高い場合の書込み動作におけるセンサユニットを示す等価回路。
【図２５】上記実施例４のセンサユニットにおいて、外光の照度が高い場合の保持動作及び取出し動作におけるセンサユニットを示す等価回路。
【図２６】この発明の実施の形態の実施例６のセンサユニットを示す回路構成図。
【図２７】この発明の実施の形態の実施例７の取得部を示すブロック図。
【図２８】上記実施例７の液晶表示装置のセンサユニットにおいて、経過時間に対する第１残留電圧、第２残留電圧及び出力電圧の変化をグラフで示した図。
【図２９】上記実施例７の液晶表示装置のセンサユニットにおいて、経過時間に対する第１残留電圧、第２残留電圧及び出力電圧の変化の他の例をグラフで示した図。
【図３０】この発明の実施の形態の実施例８のセンサユニットを示す回路構成図。
【図３１】上記実施例８の取得部を示すブロック図。
【図３２】この発明の実施の形態の液晶表示装置の変形例を示す図。
【符号の説明】
【０１７０】
１…液晶表示パネル、２…センサユニット、３…駆動回路、４…バックライトユニット、５…基板、６…記憶部、７…処理部、８…制御機構、１０…アレイ基板、１０ｓ…ガラス基板、１０ｐ…アレイパターン、１４…ＴＦＴ、１５…チャネル層、２２…信号線、２３…走査線、２７…画素電極、３０…補助容量素子、４０…対向基板、４０ｓ…ガラス基板、４０ｐ…対向パターン、４１…共通電極、５０…液晶層、５１…シール材、６０…カラーフィルタ、６１…遮光層、６２…周辺遮光層、６２ａ…開口部、９０…遮光テープ、１００…取得部、ＢＬ…遮光層、Ｓ…表示面、Ｒ１…表示領域、ＰＸ…表示画素、Ｓ１…第１センサ、Ｓ２…第２センサ、Ｓ３…第３センサ、Ｄ１…第１ダイオード、Ｄ２…第２ダイオード、Ｄ３…第３ダイオード、Ｃ１…第１コンデンサ、Ｃ２…第２コンデンサ、Ｃ３…第３コンデンサ、Ｄ１ａ，Ｄ２ａ…陽極、Ｄ１ｃ，Ｄ２ｃ…陰極、Ｔ１…第１電源端子、Ｔ２…第２電源端子、Ｔｏｕｔ…出力端子、ＳＷ１…第１切換えスイッチ、ＳＷ２…第２切換えスイッチ、ＳＷ３…第３切換えスイッチ、Ｗ，Ｗ１，Ｗ２…検出情報取出し線、Ｌ…外光、ＶＤＤ…基準電圧、ｔ１…書込み期間、ｔ２…保持期間、ｔ３…取出し期間。
【図１】
0005160308.tif 000002
【図２】
0005160308.tif 000003
【図３】
0005160308.tif 000004
【図４】
0005160308.tif 000005
【図５】
0005160308.tif 000006
【図６】
0005160308.tif 000007
【図７】
0005160308.tif 000008
【図８】
0005160308.tif 000009
【図９】
0005160308.tif 000010
【図１０】
0005160308.tif 000011
【図１１】
0005160308.tif 000012
【図１２】
0005160308.tif 000013
【図１３】
0005160308.tif 000014
【図１４】
0005160308.tif 000015
【図１５】
0005160308.tif 000016
【図１６】
0005160308.tif 000017
【図１７】
0005160308.tif 000018
【図１８】
0005160308.tif 000019
【図１９】
0005160308.tif 000020
【図２０】
0005160308.tif 000021
【図２１】
0005160308.tif 000022
【図２２】
0005160308.tif 000023
【図２３】
0005160308.tif 000024
【図２４】
0005160308.tif 000025
【図２５】
0005160308.tif 000026
【図２６】
0005160308.tif 000027
【図２７】
0005160308.tif 000028
【図２８】
0005160308.tif 000029
【図２９】
0005160308.tif 000030
【図３０】
0005160308.tif 000031
【図３１】
0005160308.tif 000032
【図３２】
0005160308.tif 000033